(57)【特許請求の範囲】
【請求項１】
ＨＤＭＩ接続されたカメラから伝送されたＨＤＭＩ信号を受信するＨＤＭＩレシーバと、
前記ＨＤＭＩ信号のオーディオチャンネル部に、接続されたマイクから入力されたオーディオ信号をエンベデッドする制御部であり、前記ＨＤＭＩ信号に含まれる録音開始／録音停止に同期して前記オーディオ信号をエンベデッドする制御部と、
前記ＨＤＭＩ信号に含まれる映像信号と、前記制御部によりエンベデッドされたオーディオ信号を外部機器に出力するＨＤＭＩトランスミッタと、
を備えることを特徴とするカメラ接続型録音装置。
【請求項２】
請求項１に記載のカメラ接続型録音装置において、
前記制御部は、前記ＨＤＭＩ信号のオーディオチャンネル部のいずれかのチャンネルに既にオーディオ信号が存在する場合に、それ以外のチャンネルに前記マイクから入力されたオーディオ信号をエンベデッドする
ことを特徴とするカメラ接続型録音装置。
【請求項３】
請求項１に記載のカメラ接続型録音装置において、
前記制御部は、前記ＨＤＭＩ信号のオーディオチャンネル部のいずれかのチャンネルに既にオーディオ信号が存在する場合に、そのチャンネルに前記マイクから入力されたオーディオ信号をエンベデッドする
ことを特徴とするカメラ接続型録音装置。
【請求項４】
請求項１に記載のカメラ接続型録音装置において、
前記制御部は、前記ＨＤＭＩ信号のオーディオチャンネル部のいずれかのチャンネルにオーディオ信号が存在しない場合に、所定のチャンネルに前記マイクから入力されたオーディオ信号をエンベデッドし、前記ＨＤＭＩ信号のオーディオチャンネル部のいずれかのチャンネルに既にオーディオ信号が存在する場合に、それ以外のチャンネルに前記マイクから入力されたオーディオ信号をエンベデッドする
ことを特徴とするカメラ接続型録音装置。
【発明の詳細な説明】
【技術分野】
【０００１】
本発明は、カメラ接続型録音装置に関し、特にオーディオ信号の制御に関する。
【背景技術】
【０００２】
デジタル一眼レフカメラあるいはミラーレス一眼カメラ等では静止画のみならず動画を録画できることが一般的となっている。但し、動画録画時の音声の録音品質に関しては、未だ十分なレベルとなっていない。
【０００３】
そこで、デジタル一眼レフカメラあるいはミラーレス一眼カメラのユーザの中には、カメラで動画を録画するとともに、音声については専用の録音装置を用いて録音し、その後にパソコン等を用いて動画データと音声データをミキシングして、高画質かつ高音質な動画を作成するユーザが存在している。
【０００４】
特許文献１には、映像ファイルと音声ファイルを別々にメモリに記憶し、確認動作やアフレコ動作等の処理を行った後、保存動作時に映像ファイルと音声ファイルを多重化して記録する携帯通信装置について記載されている。
【０００５】
特許文献２には、映像信号と第１オーディオ信号が多重化されたＡＶ多重化ファイルに対し、同期情報に基づいて第１オーディオ信号を第２オーディオ信号に置き換えることが記載されている。
【０００６】
特許文献３には、ビデオカメラ映像信号に含まれるエンベデッドオーディオ信号を分離し、分離したデジタル信号をアナログ信号に変換して出力することが記載されている。
【先行技術文献】
【特許文献】
【０００７】
【特許文献１】特開２００３−０７８８６３号公報
【特許文献２】特開２００３−１９９０４５号公報
【特許文献３】国際公開第ＷＯ２０１３／１０８４０５号
【発明の概要】
【発明が解決しようとする課題】
【０００８】
カメラで動画を撮影し、録音装置で音声を録音した場合、カメラとバックアップ録画機とを接続して映像信号をバックアップ録画機に供給し、かつ録音装置とバックアップ録画機とを接続してオーディオ信号をバックアップ録画機に供給することが考えられる。但し、バックアップ録画機は、ＨＤＭＩ（登録商標）（High-Definition Multimedia Interface）入力端子を備えていても、音声入力端子としてはアナログ音声入力端子しか備えていないものが多く、この場合には録音装置とバックアップ録画機との接続はアナログ接続となるため、オーディオ信号の劣化が生じ得る。
【０００９】
本発明の目的は、カメラ及び他の機器とＨＤＭＩ接続され、カメラからの映像信号をそのまま当該他の機器に出力するとともに、カメラと別個に録音されるオーディオ信号を劣化させることなく当該他の機器に出力することができるカメラ接続型録音装置を提供することにある。
【課題を解決するための手段】
【００１０】
本発明のカメラ接続型録音装置は、ＨＤＭＩ接続されたカメラから伝送されたＨＤＭＩ信号を受信するＨＤＭＩレシーバと、前記ＨＤＭＩ信号のオーディオチャンネル部に、接続されたマイクから入力されたオーディオ信号をエンベデッドする制御部であり、前記ＨＤＭＩ信号に含まれる録音開始／録音停止に同期して前記オーディオ信号をエンベデッドする制御部と、前記ＨＤＭＩ信号に含まれる映像信号と、前記制御部によりエンベデッドされたオーディオ信号を外部機器に出力するＨＤＭＩトランスミッタとを備えることを特徴とする。
【００１１】
本発明の１つの実施形態では、前記制御部は、前記ＨＤＭＩ信号のオーディオチャンネル部のいずれかのチャンネルに既にオーディオ信号が存在する場合に、それ以外のチャンネルに前記マイクから入力されたオーディオ信号をエンベデッドする。
【００１２】
本発明の他の実施形態では、前記制御部は、前記ＨＤＭＩ信号のオーディオチャンネル部のいずれかのチャンネルに既にオーディオ信号が存在する場合に、そのチャンネルに前記マイクから入力されたオーディオ信号をエンベデッドする。
【００１３】
本発明のさらに他の実施形態では、前記制御部は、前記ＨＤＭＩ信号のオーディオチャンネル部のいずれかのチャンネルにオーディオ信号が存在しない場合に、所定のチャンネルに前記マイクから入力されたオーディオ信号をエンベデッドし、前記ＨＤＭＩ信号のオーディオチャンネル部のいずれかのチャンネルに既にオーディオ信号が存在する場合に、それ以外のチャンネルに前記マイクから入力されたオーディオ信号をエンベデッドする。
【発明の効果】
【００１４】
本発明によれば、カメラ及び他の機器とＨＤＭＩ接続され、カメラからの映像信号をそのまま当該他の機器に出力するとともに、カメラと別個に録音されるオーディオ信号を劣化させることなく当該他の機器に出力することができる。  
【図面の簡単な説明】
【００１５】
【図１】実施形態のシステム構成図である。
【図２】実施形態のカメラ接続型録音装置の構成ブロック図である。
【図３】実施形態の処理フローチャートである。
【発明を実施するための形態】
【００１６】
以下、図面に基づき本発明の実施形態について説明する。
【００１７】
図１は、本実施形態の録音装置１０をカメラ１２及びバックアップ録画機１４に接続した状態のシステム構成図である。カメラ１２は、デジタル一眼レフカメラやミラーレス一眼カメラ等であり、録音装置１０と有線あるいは無線のＨＤＭＩで接続される。バックアップ録画機１４は、入出力インタフェース、半導体メモリやハードディスク等の記憶媒体、映像・音声出力装置を備え、録音装置１０と有線あるいは無線のＨＤＭＩで接続される。
【００１８】
本実施形態では、録音装置１０とカメラ１２、及び録音装置１０とバックアップ録画機１４がそれぞれＨＤＭＩケーブルで接続される場合を例示する。
【００１９】
録音装置１０は、ＰＣＭレコーダであり、音声信号を非可逆圧縮しないリニアＰＣＭ：ＷＡＶフォーマットで記録する。但し、ＭＰ３等の非可逆圧縮形式に対応していてもよい。
【００２０】
録音装置１０は、ＨＤＭＩ接続されたカメラ１２からのＨＤＭＩ信号に含まれる映像信号を受信し、映像信号についてはＨＤＭＩリピータ機器としてそのままＨＤＭＩ接続されたバックアップ録画機１４に出力する。他方、録音装置１０は、接続されたマイク１１から入力されたアナログオーディオ信号をデジタル信号に変換し、カメラからのＨＤＭＩ信号のオーディオＣＨにエンベデッドしてＨＤＭＩ接続されたバックアップ録画器１４に出力する。すなわち、ＨＤＭＩではオーディオチャンネル（ＣＨ）として８ＣＨ分が確保されており、この８ＣＨのいずれか、例えばデジタルオーディオ信号が２ＣＨ分であれば、８ＣＨのうちの所定の２ＣＨ（例えば８ＣＨを第１ＣＨ〜第８ＣＨとすると、第１ＣＨ及び第２ＣＨ）にデジタルオーディオ信号をエンベデッドする。
【００２１】
従って、バックアップ録画機１４は、ＨＤＭＩ接続された録音装置１０から、カメラ１２で撮影された映像信号と、録音装置１０で録音されるオーディオ信号をともにＨＤＭＩで受信することとなり、たとえ音声入力端子としてアナログ音声入力端子しか備えていなくとも、ＨＤＭＩ入力端子から高品質のオーディオ信号を入力することができる。
【００２２】
ここで、カメラ１２は、ＨＤＭＩ出力端子を備えているものの音声出力しないものが多いが、場合によっては音声出力機能を備えているものもある。この場合、録音装置１０に入力されるＨＤＭＩ信号には、映像信号のみならずカメラ１２で録音されたオーディオ信号が存在することになる。この場合、録音装置１０は、カメラ１２からのＨＤＭＩ信号のオーディオＣＨにオーディオ信号が存在するか否かを検知し、存在しない場合には上記のようにオーディオ８ＣＨのうちの所定のＣＨにオーディオ信号をエンベデッドし、存在する場合にはそのオーディオ信号が存在するＣＨ以外のＣＨにオーディオ信号をエンベデッドするのが好適である。
【００２３】
図２は、本実施形態の録音装置１０の構成ブロック図である。録音装置１０は、ＨＤＭＩ入力端子（ＨＤＭＩＩＮ）１３０、ＨＤＭＩ出力端子（ＨＤＭＩＯＵＴ）１３２、ＨＤＭＩレシーバ１０３、ＨＤＭＩトランスミッタ１４０、ＣＰＵ１０２、ＣＰＬＤ（コンプレックスプログラマブルロジックデバイス）１３４、オーディオＣＯＤＥＣ１０４、及びマルチプレクサ（ＭＵＸ）１３６を備える。
【００２４】
ＨＤＭＩ入力端子１３０は、ＨＤＭＩケーブルを介してカメラ１２と接続される。
【００２５】
ＨＤＭＩレシーバ１０３は、ＨＤＭＩケーブルを介してカメラ１２から伝送されたＴＭＤＳ信号、ＴＭＤＳクロック信号から、ＬＲＣＫ信号、ＢＣＬＫ（又はＳＣＬＫ）信号、データ信号、及びＭＣＬＫ信号を出力する。ＨＤＭＩレシーバ１０３には、Ｉ２ＣバスでＣＰＵ１０２が接続され、ＣＰＵ１０２はＨＤＭＩレシーバ１０３の動作を制御する。ＨＤＭＩレシーバ１０３は、ＨＤＭＩリピータ機器としてデータ信号に含まれる映像信号をそのままＨＤＭＩトランスミッタ１４０に出力する。他方、ＨＤＭＩレシーバ１０３は、データ信号に含まれるオーディオ信号をＣＰＬＤ１３４に供給する。
【００２６】
ＣＰＬＤ１３４は、ＨＤＭＩレシーバ１０３から出力されるオーディオ信号を受け取ってマルチプレクサ（ＭＵＸ）１３６に入力するとともにＣＰＵ１０２に出力する。他方、マイク１１から入力されたアナログオーディオ信号はオーディオＣＯＤＥＣ１０４でデジタル信号に変換されてＣＰＬＤ１３４に供給される。以下、説明の都合上、カメラ１２からのＨＤＭＩ信号に含まれるオーディオ信号をカメラオーディオ信号と称し、マイク１１からのオーディオ信号をマイクオーディオ信号と称して区別する。
【００２７】
ＣＰＵ１０２は、フラッシュメモリ１１０及びＳＤＲＡＭ１１１をそれぞれプログラムメモリ及びワーキングメモリとして、処理プログラムを読み出して所定の処理を実行する。ＣＰＵ１０２は、例えば、図示しないＳＤカードコネクタに装着されたＳＤカードメモリにオーディオデータを記憶することで録音する。また、ＣＰＵ１０２は、ＣＰＬＤ１３４から供給された８ＣＨ分のカメラオーディオ信号の各ＣＨにオーディオ信号が存在するか否かを検知する。そして、カメラオーディオ信号が存在していないことを検知した場合に、ＣＰＬＤ１３４のマルチプレクサ（ＭＵＸ）１３６に対し、８ＣＨのうちの所定のＣＨ、第１ＣＨと第２ＣＨにマイクオーディオ信号をエンベデッドするように制御信号を出力する。マルチプレクサ（ＭＵＸ）１３６は、ＣＰＵ１０２からの指令に従い、マイクオーディオ信号を所定のＣＨにエンベデッド（多重化）してＨＤＭＩトランスミッタ１４０に出力する。他方、ＣＰＵ１０２は、カメラオーディオ信号が存在していることを検知した場合に、ＣＰＬＤ１３４のマルチプレクサ（ＭＵＸ）１３６に対し、８ＣＨのうちのカメラオーディオ信号が存在するＣＨ以外のＣＨ、例えば第１ＣＨと第２ＣＨにカメラオーディオ信号が存在する場合には第７ＣＨと第８ＣＨにマイクオーディオ信号をエンベデッドするように制御信号を出力する。マルチプレクサ（ＭＵＸ）１３６は、ＣＰＵ１０２からの指令に従い、マイクオーディオ信号をカメラオーディオ信号のＣＨと異なるＣＨにエンベデッド（多重化）してＨＤＭＩトランスミッタ１４０に出力する。
【００２８】
ＨＤＭＩトランスミッタ１４０は、ＨＤＭＩレシーバ１０３からの映像信号、及びＣＰＬＤ１３４でマイクオーディオ信号がエンベデッドされたオーディオ信号をＨＤＭＩ出力端子１３２に供給する。
【００２９】
図３は、本実施形態の処理フローチャートであり、ＣＰＵ１０２の処理である。
【００３０】
まず、ＣＰＵ１０２は、カメラ１２からのＨＤＭＩ信号に含まれる制御信号から、録音開始信号を受信したか否かを判定する（Ｓ１０１）。
【００３１】
録音開始信号を受信した場合、ＣＰＵ１０２は、録音を開始する（Ｓ１０２）。すなわち、接続されているマイク１１からのアナログオーディオ信号を入力し、オーディオＣＯＤＥＣ１０４でデジタル信号に変換してＣＰＬＤ１３４を介して入力し、ＳＤＲＡＭ１１１に当該マイクオーディオ信号を記憶する。
【００３２】
次に、ＣＰＵ１０２は、カメラ１２からのＨＤＭＩ信号のオーディオＣＨにカメラオーディオ信号が存在するか否かを判定する（Ｓ１０３）。デジタルオーディオ信号の有無を検知する方法は公知であり、本実施形態では任意の検知方法を用い得る。判定の結果、カメラオーディオ信号が存在しない場合には、ＣＰＵ１０２はオーディオＣＨのうち所定のＣＨにオーディオＣＯＤＥＣ１０４から供給されたマイクオーディオ信号をエンベデッドする（Ｓ１０４）。他方、カメラオーディオ信号が存在する場合には、ＣＰＵ１０２はオーディオＣＨのうちカメラオーディオ信号が存在していないＣＨにオーディオＣＯＤＥＣ１０４から供給されたマイクオーディオ信号をエンベデッドする（Ｓ１０５）。
【００３３】
具体的には、カメラ１２からのＨＤＭＩ信号のオーディオＣＨが、
第１ＣＨ：無し
第２ＣＨ：無し
第３ＣＨ：無し
第４ＣＨ：無し
第５ＣＨ：無し
第６ＣＨ：無し
第７ＣＨ：無し
第８ＣＨ：無し
の場合、ＣＰＵ１０２及びマルチプレクサ（ＭＵＸ）１３６により、
第１ＣＨ：マイクオーディオ信号（Ｌ）
第２ＣＨ：マイクオーディオ信号（Ｒ）
第３ＣＨ：無し
第４ＣＨ：無し
第５ＣＨ：無し
第６ＣＨ：無し
第７ＣＨ：無し
第８ＣＨ：無し
としてエンベデッドオーディオ信号が生成され、ＨＤＭＩトランスミッタ１４０に出力する。
【００３４】
また、カメラ１２からのＨＤＭＩ信号のオーディオＣＨが、
第１ＣＨ：カメラオーディオ信号（Ｌ）
第２ＣＨ：カメラオーディオ信号（Ｒ）
第３ＣＨ：無し
第４ＣＨ：無し
第５ＣＨ：無し
第６ＣＨ：無し
第７ＣＨ：無し
第８ＣＨ：無し
の場合、ＣＰＵ１０２及びマルチプレクサ（ＭＵＸ）１３６により、
第１ＣＨ：カメラオーディオ信号（Ｌ）
第２ＣＨ：カメラオーディオ信号（Ｒ）
第３ＣＨ：無し
第４ＣＨ：無し
第５ＣＨ：無し
第６ＣＨ：無し
第７ＣＨ：マイクオーディオ信号（Ｌ）
第８ＣＨ：マイクオーディオ信号（Ｒ）
としてエンベデッドオーディオ信号が生成され、ＨＤＭＩトランスミッタ１４０に出力する。
【００３５】
カメラオーディオ信号とは異なるＣＨにマイクオーディオ信号をエンベデッドすることで、バックアップ録画機１４にカメラオーディオ信号に加えてマイクオーディオ信号を供給することができ、ユーザはいずれのオーディオ信号も視聴することが可能となる。ユーザによっては、カメラ１２で特定の音を録音するとともに、マイク１１で別の音を録音したいと欲する場合もあるが、このような場合に好適である。
【００３６】
上記の例において、所定のＣＨを当初から第７ＣＨ及び第８ＣＨとして設定しておけば、カメラオーディオ信号の存在の有無にかかわらずカメラオーディオ信号のＣＨ以外のＣＨにマイクオーディオ信号をエンベデッドすることができるが、この場合にも所定のＣＨとはいえ結果としてカメラオーディオ信号が存在するＣＨ以外のＣＨにエンベデッドしていることに変わりない。
【００３７】
以上の処理を録音停止信号を受信するまで繰り返し実行し、録音停止信号を受信した場合に処理を完了する（Ｓ１０６）。図には示していないが、ＨＤＭＩ信号が受信できない場合にも処理を完了するのは言うまでもない。
【００３８】
以上説明したように、本実施形態では、マイク１１から入力されたオーディオ信号をカメラ１２からのＨＤＭＩ信号にエンベデッドしてバックアップ録画機１４に供給するため、オーディオ信号の劣化を生じることなく高音質のオーディオ信号を映像信号とともに供給することができる。
【００３９】
また、本実施形態の録音装置１０は、ＨＤＭＩ接続されたカメラ１２からのＨＤＭＩ信号に含まれる録音開始／録音停止に同期して動作するため、カメラ１２で撮影された映像信号に同期させてマイクオーディオ信号を録音し、マイクオーディオ信号をＨＤＭＩ信号にエンベデッドすることができる。すなわち、本実施形態では、カメラ１２で動画を撮影すると同時に、マイク１１から入力されたオーディオ信号を録音してＨＤＭＩ信号のオーディオＣＨにマイクオーディオ信号をエンベデッドして出力することができる。本実施形態の処理は、映像信号を確認しながら音声信号をアフターレコーディングする所謂アフレコとは異なる点に留意されたい。
【００４０】
なお、本実施形態では、マイクオーディオ信号をカメラオーディオ信号と異なるＣＨにエンベデッドしているが、必要に応じ、あるいはユーザからの操作に応じ、マイクオーディオ信号をカメラオーディオ信号と同一ＣＨにエンベデッドしてカメラオーディオ信号をマイクオーディオ信号で上書きしてもよい。これにより、カメラ１２とマイク１１で同一の音を録音する場合において、マイク１１で録音した高音質のオーディオ信号のみをバックアップ録画機１４に出力することができる。
【００４１】
また、本実施形態において、複数の録音装置１０をカスケード接続し、各録音装置１０に接続されたマイク１１から入力したマイクオーディオ信号をそれぞれ異なるオーディオＣＨにエンベデッドすることも可能である。
【００４２】
例えば、複数の録音装置１０を録音装置１０ａ、１０ｂ、１０ｃとし、各録音装置１０ａ、１０ｂ、１０ｃに接続されたマイク１１からのマイクオーディオ信号をマイクオーディオ信号ａ、ｂ、ｃとすると、
第１ＣＨ：カメラオーディオ信号（Ｌ）
第２ＣＨ：カメラオーディオ信号（Ｒ）
第３ＣＨ：マイクオーディオ信号ａ（Ｌ）
第４ＣＨ：マイクオーディオ信号ａ（Ｒ）
第５ＣＨ：マイクオーディオ信号ｂ（Ｌ）
第６ＣＨ：マイクオーディオ信号ｂ（Ｒ）
第７ＣＨ：マイクオーディオ信号ｃ（Ｌ）
第８ＣＨ：マイクオーディオ信号ｃ（Ｒ）
等である。各録音装置１０ａ、１０ｂ、１０ｃのＣＰＵ１０２が、どのオーディオＣＨにマイクオーディオ信号をエンベデッドするかを予め設定（互いに重複しないように）しておけばよい。
【００４３】
また、本実施形態では、ＣＰＵ１０２において、音声信号を元にカメラオーディオ信号あるいはマイクオーディオ信号が存在していないＣＨを判断しているが、ＨＤＭＩ信号のパケット信号に含まれているオーディオＣＨ数を定義する情報を抽出し、この情報を元に各オーディオ信号が存在していないＣＨを判断するようにしてもよい。但し、オーディオ信号をエンベデッドした場合は、ＨＤＭＩトランスミッタ１４０から出力されるオーディオＣＨ数を定義する情報を更新（エンベデッドしたオーディオＣＨ数分の情報を追加）して出力する必要がある。
【００４４】
また、ＨＤＭＩ信号のパケット信号に含まれているＶＳＩＦ（Vender Specific Information）情報（映像信号に関する付加情報）を利用して、エンベデッドするＣＨ指定を下流情報に追加するようにしてもよい。
【符号の説明】
【００４５】
１０  録音装置（カメラ接続型録音装置）、１２  カメラ、１４  バックアップ録画機、１０２  ＣＰＵ、１０３  ＨＤＭＩレシーバ、１０４  オーディオＣＯＤＥＣ、１３０  ＨＤＭＩ入力端子、１３２  ＨＤＭＩ出力端子、１３４  ＣＰＬＤ（コンプレックスプログラマブルロジックデバイス）、１３６  マルチプレクサ（ＭＵＸ）、１４０  ＨＤＭＩトランスミッタ。
【図１】
0006586811.tif 000002
【図２】
0006586811.tif 000003
【図３】
0006586811.tif 000004